(57)【要約】【課題】本発明は、小型バッテリパックの小型化を図れるようにするとともに、大型バッテリパックを電気機器に対して安定的に連結できるようにする。【解決手段】  本発明に係るバッテリパックは、複数種類の電気機器のバッテリ装着部に対して連結可能に構成されたバッテリパックであって、複数種類の全ての電気機器のバッテリ装着部２０に設けられた主連結受け部に対して一定方向からスライドすることにより連結可能に構成された主連結部３５と、特定種類の電気機器のバッテリ装着部にのみ設けられた補助連結受け部に対して連結可能に構成された補助連結部３７とを有しており、主連結部３５と補助連結部３７は、バッテリパック３０の自重を受けられるように構成されていることを特徴とする。【選択図】図１
2013242992.tif 000002
【特許請求の範囲】
【請求項１】
複数種類の電気機器のバッテリ装着部に対して連結可能に構成されたバッテリパックであって、
複数種類の全ての電気機器のバッテリ装着部に設けられた主連結受け部に対して一定方向からスライドすることにより連結可能に構成された主連結部と、
特定種類の電気機器のバッテリ装着部にのみ設けられた補助連結受け部に対して連結可能に構成された補助連結部とを有しており、
前記主連結部と補助連結部は、前記電気機器のバッテリ装着部に連結された状態で、前記バッテリパックの自重を受けられるように構成されていることを特徴とするバッテリパック。
【請求項２】
請求項１に記載されたバッテリパックであって、
前記主連結部と前記補助連結部とは、離れた位置に設けられていることを特徴とするバッテリパック。
【請求項３】
請求項１又は請求項２のいずれかに記載されたバッテリパックであって、
前記補助連結部は、特定種類の電気機器のバッテリ装着部に設けられた補助連結受け部に対してスライド動作により連結可能に構成されていることを特徴とするバッテリパック。
【請求項４】
請求項３に記載されたバッテリパックであって、
特定種類の電気機器のバッテリ装着部に設けられた主連結受け部と補助連結受け部に対して前記主連結部と補助連結部をそれぞれ同方向からスライドさせることで、前記バッテリ装着部の主連結受け部と補助連結受け部に対して前記主連結部と補助連結部が連結可能に構成されていることを特徴とするバッテリパック。
【請求項５】
請求項１又は請求項２のいずれかに記載されたバッテリパックであって、
特定種類の電気機器のバッテリ装着部に設けられた補助連結受け部は突起部であり、
前記補助連結部は、前記突起部が係合するように構成された突起係合部であることを特徴とするバッテリパック。
【請求項６】
請求項５に記載されたバッテリパックであって、
前記補助連結部の突起係合部は、特定種類の電気機器のバッテリ装着部に設けられた主連結受け部に対して前記主連結部を一定方向からスライドさせた後で、前記バッテリ装着部の突起部と係合する位置に設けられていることを特徴とするバッテリパック。
【請求項７】
請求項１から請求項６のいずれかに記載されたバッテリパックであって、
前記特定種類の電気機器のバッテリ装着部に設けられた主連結受け部と補助連結受け部に対して前記主連結部と前記補助連結部とが共に連結されるのに対し、特定種類以外の電気機器のバッテリ装着部に設けられた主連結受け部に対して前記主連結部のみが連結される構成であることを特徴とするバッテリパック。
【請求項８】
複数種類の電気機器と、それらの電気機器のバッテリ装着部に対して連結可能に構成された複数種類のバッテリパックとからなる充電式電気機器システムであって、
複数種類の電気機器は、特定種類の電気機器と、特定種類以外の電気機器とをからなり、
複数種類のバッテリパックは、主連結部と補助連結部とを備える特定種類のバッテリパックと、前記主連結部のみを備える特定種類以外のバッテリパックとからなり、
特定種類の電気機器のバッテリ装着部には、複数種類の全てのバッテリパックの主連結部が一定方向からスライドすることにより連結可能に構成された主連結受け部と、特定種類のバッテリパックの補助連結部が連結可能に構成された補助連結受け部とが設けられており、
特定種類以外の電気機器のバッテリ装着部には、複数種類の全てのバッテリパックの主連結部が一定方向からスライドすることにより連結可能に構成された主連結受け部のみが設けられており、
前記バッテリパックの主連結部と補助連結部は、前記電気機器のバッテリ装着部に連結された状態で、自重を受けられるように構成されていることを特徴とする充電式電気機器システム。
【請求項９】
特定種類の電気機器と、その電気機器のバッテリ装着部に対して連結可能に構成された複数種類のバッテリパックとからなる充電式電気機器システムであって、
複数種類のバッテリパックは、主連結部と補助連結部とを備える特定種類のバッテリパックと、前記主連結部のみを備える特定種類以外のバッテリパックとからなり、
特定種類の電気機器のバッテリ装着部には、複数種類の全てのバッテリパックの主連結部が一定方向からスライドすることにより連結可能に構成された主連結受け部と、特定種類のバッテリパックの補助連結部が連結可能に構成された補助連結受け部とが設けられており、
前記特定種類の電気機器のバッテリ装着部に特定種類のバッテリパックが連結された状態で、そのバッテリパックの自重が主連結部と補助連結部とにより受けられ、
前記特定種類の電気機器のバッテリ装着部に特定種類以外のバッテリパックが連結された状態で、そのバッテリパックの自重が主連結部のみにより受けられることを特徴とする充電式電気機器システム。
【発明の詳細な説明】
【技術分野】
【０００１】
本発明は、複数種類の電気機器のバッテリ装着部に対して連結可能に構成されたバッテリパック、及び充電式電気機器システムに関する。
【背景技術】
【０００２】
バッテリパックに関する技術が特許文献１に記載されている。
特許文献１のバッテリパック１００は、電動工具の電源として使用されるバッテリパックであり、図１３に示すように、ハウジング１０２の上面に電動工具のバッテリ装着部１０５（図１４参照）に連結される左右のスライドレール１０３が設けられている。スライドレール１０３は、バッテリパック１００の前後方向に延びるレールであり、図１４に示すように、レール本体部１０３ｍと、そのレール本体部１０３ｍの上側面から幅方向（左右方向）外側に一定寸法だけ突出する横方向突条部１０３ｙとから断面逆Ｌ字形に形成されている。
また、電動工具のバッテリ装着部１０５には、図１４に示すように、幅方向両側位置に縦壁部１０６が設けられており、それらの縦壁部の内壁面にバッテリパック１００のスライドレール１０３の横方向突条部１０３ｙが嵌合する角溝１０６ｍが前後方向に延びるように形成されている。これにより、電動工具のバッテリ装着部１０５の角溝１０６ｍに対してバッテリパック１００のスライドレール１０３の横方向突条部１０３ｙを嵌合させ、電動工具とバッテリパック１００とを前後方向に相対スライドさせることで、電動工具とバッテリパック１００とを連結させることができる。
ここで、複数種類の電動工具においてバッテリ装着部１０５の規格は統一されており、また複数種類のバッテリパック１００においてもスライドレール１０３の規格は統一されている。このため、特定のバッテリパック１００を複数種類の電動工具で使用できるようになる。
【先行技術文献】
【特許文献】
【０００３】
【特許文献１】特開２００１−１４３６７８号公報
【発明の概要】
【発明が解決しようとする課題】
【０００４】
しかし、複数種類のバッテリパック１００においてスライドレール１０３の規格を統一しているため、例えば、小型のバッテリパック１００であっても大型のバッテリパック１００と同じ規格のスライドレール１０３が設けられている。
このため、小型のバッテリパック１００ではスライドレール１０３が大きくなりすぎて、バッテリパック１００の小型化が難しくなる。
【０００５】
本発明は、上記問題点を解決するためになされたものであり、本発明が解決しようとする課題は、小型のバッテリパックのさらなる小型化を図れるようにするとともに、大型のバッテリパックを電気機器に対して安定的に連結できるようにすることである。
【課題を解決するための手段】
【０００６】
上記した課題は、各請求項の発明によって解決される。
請求項１の発明は、複数種類の電気機器のバッテリ装着部に対して連結可能に構成されたバッテリパックであって、複数種類の全ての電気機器のバッテリ装着部に設けられた主連結受け部に対して一定方向からスライドすることにより連結可能に構成された主連結部と、特定種類の電気機器のバッテリ装着部にのみ設けられた補助連結受け部に対して連結可能に構成された補助連結部とを有しており、前記主連結部と補助連結部は、前記電気機器のバッテリ装着部に連結された状態で、前記バッテリパックの自重を受けられるように構成されていることを特徴とする。
【０００７】
本発明によると、バッテリパックは主連結部と補助連結部とを備えており、その主連結部と補助連結部とがそれぞれ特定種類の電気機器のバッテリ装着部に設けられた主連結受け部と補助連結受け部とに連結されることで、前記バッテリパックが特定種類の電気機器のバッテリ装着部に連結される。さらに、バッテリパックは主連結部と補助連結部により自重を受けられるように構成されている。
このため、仮に全ての電気機器（バッテリ装着部）との連結に使用される主連結部を小型化しても、補助連結部があることで比較的大きな自重を安定的に受けられるようになる。
したがって、全ての電気機器（バッテリ装着部）との連結に使用される主連結部を小型化することで、前記主連結部のみを備えるバッテリパックのさらなる小型化を図れるようになる。
【０００８】
請求項２の発明によると、主連結部と補助連結部とは、離れた位置に設けられていることを特徴とする。
このため、バッテリパックの自重を主連結部と補助連結部との二点で効率的に受けられるようになる。
請求項３の発明によると、補助連結部は、特定種類の電気機器のバッテリ装着部に設けられた補助連結受け部に対してスライド動作により連結可能に構成されていることを特徴とする。
請求項４の発明によると、特定種類の電気機器のバッテリ装着部に設けられた主連結受け部と補助連結受け部に対して前記主連結部と補助連結部をそれぞれ同方向からスライドさせることで、前記バッテリ装着部の主連結受け部と補助連結受け部に対して前記主連結部と補助連結部が連結可能に構成されていることを特徴とする。
【０００９】
請求項５の発明によると、特定種類の電気機器のバッテリ装着部に設けられた補助連結受け部は突起部であり、前記補助連結部は、前記突起部が係合するように構成された突起係合部であることを特徴とする。
請求項６の発明によると、補助連結部の突起係合部は、特定種類の電気機器のバッテリ装着部に設けられた主連結受け部に対して前記主連結部を一定方向からスライドさせた後で、前記バッテリ装着部の突起部と係合する位置に設けられていることを特徴とする。
【００１０】
請求項７の発明によると、特定種類の電気機器のバッテリ装着部に設けられた主連結受け部と補助連結受け部に対して前記主連結部と前記補助連結部とが共に連結されるのに対し、特定種類以外の電気機器のバッテリ装着部に設けられた主連結受け部に対して前記主連結部のみが連結される構成であることを特徴とする。
請求項８の発明は、複数種類の電気機器と、それらの電気機器のバッテリ装着部に対して連結可能に構成された複数種類のバッテリパックとからなる充電式電気機器システムであって、複数種類の電気機器は、特定種類の電気機器と、特定種類以外の電気機器とをからなり、複数種類のバッテリパックは、主連結部と補助連結部とを備える特定種類のバッテリパックと、前記主連結部のみを備える特定種類以外のバッテリパックとからなり、特定種類の電気機器のバッテリ装着部には、複数種類の全てのバッテリパックの主連結部が一定方向からスライドすることにより連結可能に構成された主連結受け部と、特定種類のバッテリパックの補助連結部が連結可能に構成された補助連結受け部とが設けられており、特定種類以外の電気機器のバッテリ装着部には、複数種類の全てのバッテリパックの主連結部が一定方向からスライドすることにより連結可能に構成された主連結受け部のみが設けられており、前記バッテリパックの主連結部と補助連結部は、前記電気機器のバッテリ装着部に連結された状態で、自重を受けられるように構成されていることを特徴とする。
【００１１】
請求項９の発明は、特定種類の電気機器と、その電気機器のバッテリ装着部に対して連結可能に構成された複数種類のバッテリパックとからなる充電式電気機器システムであって、複数種類のバッテリパックは、主連結部と補助連結部とを備える特定種類のバッテリパックと、前記主連結部のみを備える特定種類以外のバッテリパックとからなり、特定種類の電気機器のバッテリ装着部には、複数種類の全てのバッテリパックの主連結部が一定方向からスライドすることにより連結可能に構成された主連結受け部と、特定種類のバッテリパックの補助連結部が連結可能に構成された補助連結受け部とが設けられており、  前記特定種類の電気機器のバッテリ装着部に特定種類のバッテリパックが連結された状態で、そのバッテリパックの自重が主連結部と補助連結部とにより受けられ、前記特定種類の電気機器のバッテリ装着部に特定種類以外のバッテリパックが連結された状態で、そのバッテリパックの自重が主連結部のみにより受けられることを特徴とする。
【発明の効果】
【００１２】
本発明によると、小型のバッテリパックのさらなる小型化を図れるとともに、大型のバッテリパックを特定種類の電気機器に安定的に連結できるようになる。
【図面の簡単な説明】
【００１３】
【図１】本発明の実施形態１に係る大型バッテリパックと、そのバッテリパックが連結される大型電動工具のバッテリ装着部との斜視図である。
【図２】前記大型バッテリパックと大型電動工具のバッテリ装着部とが連結された状態を表す斜視図である。
【図３】図２のIII-III矢視断面図である。
【図４】前記大型電動工具のバッテリ装着部における中央破断斜視図である。
【図５】前記大型バッテリパックのフックの動作を表す縦断面図である。
【図６】前記大型バッテリパックと、そのバッテリパックが連結される小型電動工具のバッテリ装着部との斜視図である。
【図７】前記小型電動工具のバッテリ装着部における中央破断斜視図である。
【図８】前記大型バッテリパックと小型電動工具のバッテリ装着部とが連結された状態を表す斜視図である。
【図９】実施形態１の変更例に係る小型バッテリパックと、そのバッテリパックが連結される大型電動工具のバッテリ装着部との斜視図である。
【図１０】実施形態２に係る大型バッテリパックと、そのバッテリパックが連結される小型電動工具のバッテリ装着部との斜視図である。
【図１１】前記大型バッテリパックと小型電動工具のバッテリ装着部とが連結された状態を表す斜視図である。
【図１２】図１１のXII-XII矢視断面図である。
【図１３】従来のバッテリパックを表す斜視図である。
【図１４】従来のバッテリパックと電動工具のバッテリ装着部との連結状態を表す断面図である。
【発明を実施するための形態】
【００１４】
［実施形態１］
以下、図１から図９に基づいて本発明の実施形態１に係るバッテリパックについて説明する。本実施形態に係るバッテリパック３０は電動工具１０（部分的に表示）の駆動用電源であり、その電動工具１０のバッテリ装着部２０に連結できるように構成されている。
なお、図に記載された前後左右及び上下は、バッテリパック３０及び電動工具１０の前後左右及び上下に対応している。
【００１５】
＜電動工具１０のバッテリ装着部２０について＞
前記バッテリパック３０について説明する前に、先ず、電動工具１０のバッテリ装着部２０について説明する。
前記電動工具１０は大型の電動工具であり、使用者が把持するグリップ部１２の下端位置にバッテリパック３０が連結されるバッテリ装着部２０が設けられている。以下、電動工具１０を大型電動工具１０と呼ぶことにする。
バッテリ装着部２０は、図１に示すように、前記グリップ部１２に対して幅方向（左右方向）及び前方に広がる角形蓋状に形成されており、角形の天板部２１と、その天板部２１の左右両側と後端側とから下方に突出する塀状の縦壁部２２とから構成されている。ここで、縦壁部２２は、後端壁部２３と左右の後部側壁部２４と左右の前部側壁部２６とにより前方が開放された平面略横Ｕ字形に構成されている。さらに、左右の後部側壁部２４と前部側壁部２６との境界位置にはそれぞれ段差部２５が形成されている。そして、左右の前部側壁部２６の間隔が左右の後部側壁部２４の間隔よりも段差分だけ大きくなるように構成されている。
即ち、左右の後部側壁部２４の幅方向外側に左右の前部側壁部２６が設けられている。さらに、左右の後部側壁部２４の前後方向における長さ寸法は、左右の前部側壁部２６の前後方向における長さ寸法より大きく設定されている。
【００１６】
バッテリ装着部２０の前部側壁部２６と後部側壁部２４とはそれぞれ左右対称に形成されている。左右の前部側壁部２６における内側下端には、図４の中央破断斜視図に示すように、一定寸法だけ内側に突出する前側突条部２６ｆが形成されている。そして、前部側壁部２６の前側突条部２６ｆと天板部２１との間に前側角溝部２６ｍが形成されている。また、左右の後部側壁部２４における内側下端には、同じく一定寸法だけ内側に突出する後側突条部２４ｂが形成されている。そして、後部側壁部２４の後側突条部２４ｂと天板部２１との間に後側角溝部２４ｘが形成されている。後側角溝部２４ｘと前側角溝部２６ｍとは、図４に示すように、段差部２５によって隔てられている。
さらに、バッテリ装着部２０の天板部２１の前側位置には、図４、図５に示すように、断面ハット型に形成された角形突部２１ｔが設けられており、その角形突部２１ｔの内側前部にフック受け用段部２１ｄが形成されている。
【００１７】
＜バッテリパック３０について＞
バッテリパック３０は、大型電動工具１０等に電力を供給する大容量のバッテリである。以下、バッテリパック３０を大型バッテリパック３０と呼ぶことにする。
大型バッテリパック３０は、図１に示すように、複数本のセル（図示省略）を収納する上部開放型のハウジング本体部３２と、そのハウジング本体部３２の上部開口（図示省略）を塞ぐ蓋部３４とを備えている。
大型バッテリパック３０の蓋部３４には、中央部分の左右両側に一対の後部スライドレール３５が前後方向に延びるように形成されており、前側部分の左右両側に一対の前部スライドレール３７が同じく前後方向に延びるように形成されている。そして、前部スライドレール３７と後部スライドレール３５との境界位置に段差部３６が形成されている。
左右の前部スライドレール３７の間隔寸法は、大型電動工具１０におけるバッテリ装着部２０の左右の前部側壁部２６の間隔寸法に合わせて設定されている。また、左右の後部スライドレール３５の間隔寸法は、同じくバッテリ装着部２０の左右の後部側壁部２４の間隔寸法に合わせて設定されている。
即ち、左右の後部スライドレール３５の幅方向外側に左右の前部スライドレール３７が設けられている。さらに、左右の後部スライドレール３５の前後方向における長さ寸法は、左右の前部スライドレール３７の前後方向における長さ寸法より大きく設定されている。
【００１８】
後部スライドレール３５は、図１、図３等に示すように、レール本体部３５ｍと、そのレール本体部３５ｍの上側面から幅方向（左右方向）外側に一定寸法だけ突出する横方向突条部３５ｙとから断面逆Ｌ字形に形成されている。そして、左右の後部スライドレール３５の横方向突条部３５ｙが大型電動工具１０（バッテリ装着部２０）の左右の後側角溝部２４ｘと嵌合して前後方向に相対スライドが可能なように構成されている。
前部スライドレール３７は、図１等に示すように、レール本体部３７ｍと、そのレール本体部３７ｍの上側面から幅方向（左右方向）外側に一定寸法だけ突出する横方向突条部３７ｙとから形成されている。そして、左右の前部スライドレール３７の横方向突条部３７ｙが大型電動工具１０（バッテリ装着部２０）の左右の前側角溝部２６ｍと嵌合して前後方向に相対スライドが可能なように構成されている。
【００１９】
大型バッテリパック３０の蓋部３４には、左右の前部スライドレール３７の間に平面形状が横Ｕ字形をしたスリット状開口３８が形成されている。そして、前記スリット状開口３８から大型電動工具１０の後方向のスライド（外れ方向のスライド）を禁止するためのフック３９が突出可能に構成されている。フック３９は、図１に示すように、蓋部３４のスリット状開口３８から上方に突出可能なスライドロック部３９ｋと、蓋部３４の前面に設けられた操作開口３４ｘの位置で露出するロック解除ボタン部３９ｆとを一体に備えている。ここで、スライドロック部３９ｋは、後側に大型電動工具１０の天板部２１の先端が当接する傾斜面３９ｓを備えており、前側に垂直縦面を備えている。さらに、蓋部３４の内側には、フック３９を上方に押上げるように付勢されたスプリング３９ｂ（図５参照）が装着されている。このため、フック３９はスプリング３９ｂのバネ力で上限位置に保持されている。そして、スリット状開口３８から上方に突出したスライドロック部３９ｋの垂直縦面が、図５に示すように、バッテリ装着部２０の角形突部２１ｔに形成されたフック受け用段部２１ｄに係合することで、大型電動工具１０の抜き方向へのスライド（後スライド）が禁止される。
また、ロック解除ボタン部３９ｆによりフック３９をスプリング３９ｂのバネ力に抗して押し下げて、スライドロック部３９ｋをバッテリ装着部２０のフック受け用段部２１ｄから外すことで、大型電動工具１０の抜き方向へのスライド（後スライド）が許容される。
【００２０】
＜大型バッテリパック３０と大型電動工具１０との連結について＞
大型バッテリパック３０と大型電動工具１０とを連結する場合には、図１に示すように、大型バッテリパック３０の後方から大型電動工具１０を前方に水平移動させる。そして、大型電動工具１０のバッテリ装着部２０における左右の後側角溝部２４ｘの先端を、図３等に示すように、大型バッテリパック３０の左右の後部スライドレール３５の後端に嵌合させる。これにより、大型電動工具１０のバッテリ装着部２０を大型バッテリパック３０に対して前方向に押圧することで、左右の後部スライドレール３５と左右の後側角溝部２４ｘとが嵌合しつつ前後方向に相対スライドするようになる。そして、大型電動工具１０のバッテリ装着部２０が大型バッテリパック３０に対して前方スライドする過程で、次に、バッテリ装着部２０の左右の前側角溝部２６ｍの先端が大型バッテリパック３０の左右の前部スライドレール３７の後端に嵌合するようになる。この状態で、引き続き大型電動工具１０のバッテリ装着部２０を大型バッテリパック３０に対して前方向に押圧することで、左右の後部スライドレール３５と左右の後側角溝部２４ｘ、及び左右の前部スライドレール３７と左右の前側角溝部２６ｍが嵌合しつつ前後方向に相対スライドするようになる。
【００２１】
さらに、大型電動工具１０のバッテリ装着部２０が大型バッテリパック３０に対して前方スライドする過程で、バッテリ装着部２０の天板部２１が大型バッテリパック３０のフック３９の傾斜面３９ｓに当接して摺動し、そのフック３９をバネ力に抗して押し下げる。そして、大型電動工具１０のバッテリ装着部２０が大型バッテリパック３０に対して連結完了位置まで前方スライドすると、バッテリ装着部２０の天板部２１の角形突部２１ｔがフック３９の位置まで到達し、フック３９がバネ力でスリット状開口３８から上方に突出する。これにより、フック３９のスライドロック部３９ｋ（垂直縦面）がバッテリ装着部２０のフック受け用段部２１ｄと係合して大型電動工具１０の抜き方向へのスライド（後スライド）が禁止される。
さらに、大型電動工具１０のバッテリ装着部２０が大型バッテリパック３０に対して連結完了位置まで前方スライドすることにより、大型電動工具１０の電源及び信号ターミナル（図示省略）と大型バッテリパック３０の電源及び信号端子（図示省略）とが電気的に接続されるようになる。
このように、大型電動工具１０のバッテリ装着部２０と大型バッテリパック３０とは、左右の後部スライドレール３５と左右の後側角溝部２４ｘとの嵌合、及び左右の前部スライドレール３７と左右の前側角溝部２６ｍとの嵌合とにより連結される。このため、大容量で重い大型バッテリパック３０の自重を後部スライドレール３５と前部スライドレール３７との二ヶ所で安定的に支えられるようになる。
【００２２】
＜大型バッテリパック３０と小型電動工具４０との連結について＞
大型バッテリパック３０には、図６等に示すように、小型電動工具４０が連結可能に構成されている。
小型電動工具４０のバッテリ装着部４５は、上記した大型電動工具１０のバッテリ装着部２０に対して幅が狭く形成されており、図６、図７に示すように、縦壁部２２が後端壁部２３と左右の後部側壁部２４とから前方が開放された平面略横Ｕ字形に形成されている。そして、左右の後部側壁部２４の間隔が大型電動工具１０のバッテリ装着部２０における左右の後部側壁部２４の間隔と等しい値に設定されている。
即ち、小型電動工具４０のバッテリ装着部４５は、大型電動工具１０のバッテリ装着部２０における左右の前部側壁部２６及び段差部２５を省略したもので、その他の構成は大型電動工具１０のバッテリ装着部２０の構成と同じである。このため、大型電動工具１０のバッテリ装着部２０と同じ部材については同一符号を付して説明を省略する。
【００２３】
小型電動工具４０を大型バッテリパック３０に連結させる場合には、図６に示すように、大型バッテリパック３０の後方から小型電動工具４０を前方に水平移動させる。そして、小型電動工具４０のバッテリ装着部４５における左右の後側角溝部２４ｘを大型バッテリパック３０の左右の後部スライドレール３５に嵌合させて前後方向に相対スライドさせる。これにより、前述のように、スライド過程でフック３９のスライドロック部３９ｋがバネ力に抗して押し下げられる。そして、連結完了位置においてフック３９のスライドロック部３９ｋがバネ力で押上げられてフック受け用段部２１ｄと係合し、図８に示すように、小型電動工具４０のバッテリ装着部４５が大型バッテリパック３０に連結される。
【００２４】
＜小型バッテリパック５０について＞
小型バッテリパック５０は一般的に小型電動工具４０の駆動用電源として使用されるバッテリであり、図９に示すように、大型バッテリパック３０に対してハウジングが小型で、かつ左右のスライドレール３５のみを備える構成となっている。そして、小型バッテリパック５０の左右のスライドレール３５が大型バッテリパック３０の左右の後部スライドレール３５と等しい規格で形成されている。
ここで、小型バッテリパック５０におけるその他の構成は大型バッテリパック３０と同じであるため、大型バッテリパック３０と同じ部材については同一符号を付して説明を省略する。
【００２５】
＜小型バッテリパック５０と小型電動工具４０、大型電動工具１０との連結について＞
小型電動工具４０を小型バッテリパック５０に連結させる場合には、小型電動工具４０のバッテリ装着部４５における左右の後側角溝部２４ｘを小型バッテリパック５０の左右のスライドレール３５に嵌合させて前後方向に相対スライドさせる。これにより、前述のように、連結完了位置でフック３９のスライドロック部３９ｋがバネ力でフック受け用段部２１ｄと係合し、小型電動工具４０と小型バッテリパック５０との連結が完了する。
ここで、小型電動工具４０のバッテリ装着部４５における左右の後部側壁部２４の間隔と大型電動工具１０のバッテリ装着部２０における左右の後部側壁部２４の間隔とが等しい値に設定されている。このため、図９に示すように、小型バッテリパック５０の左右のスライドレール３５を大型電動工具１０のバッテリ装着部２０における左右の後側角溝部２４ｘに嵌合させて前後方向に相対スライドさせることで、小型バッテリパック５０と大型電動工具１０のバッテリ装着部２０とを連結することも可能になる。
上記したように、小型バッテリパック５０の左右のスライドレール３５と大型バッテリパック３０の左右の後部スライドレール３５とは全ての電動工具（大型電動工具１０、小型電動工具４０）のバッテリ装着部２０，４５に連結可能となる。
このため、小型バッテリパック５０の左右のスライドレール３５と大型バッテリパック３０の左右の後部スライドレール３５が本発明の主連結部に相当し、大型バッテリパック３０の左右の前部スライドレール３７が本発明の補助連結部に相当する。
また、大型電動工具１０及び小型電動工具４０の左右の後側角溝部２４ｘが本発明の主連結受け部に相当し、大型電動工具１０の左右の前側角溝部２６ｍが本発明の補助連結受け部に相当する。
【００２６】
＜本発明の実施形態１に係る大型バッテリパック３０の長所について＞
本実施形態に係る大型バッテリパック３０は、左右の後部スライドレール３５（主連結部）と左右の前部スライドレール３７（補助連結部）とを備えている。そして、左右の後部スライドレール３５（主連結部）と左右の前部スライドレール３７（補助連結部）とがそれぞれ大型電動工具１０（特定種類の電気機器）のバッテリ装着部２０に設けられた左右の後側角溝部２４ｘ（主連結受け部）と左右の前側角溝部２６ｍ（補助連結受け部）とに連結される。さらに、大型バッテリパック３０は左右の後部スライドレール３５（主連結部）と左右の前部スライドレール３７（補助連結部）により自重を受けられるように構成されている。
このため、大型電動工具１０及び小型電動工具４０（バッテリ装着部）との連結に使用される左右の後部スライドレール３５（主連結部）を小型化しても、左右の前部スライドレール３７（補助連結部）があることで比較的大きな自重を安定的に受けられるようになる。
したがって、大型電動工具１０及び小型電動工具４０（バッテリ装着部）との連結に使用される左右の後部スライドレール３５（主連結部）を小型化することで、左右の後部スライドレール３５（主連結部）のみを備える小型バッテリパック５０のさらなる小型化を図れるようになる。
また、大型バッテリパック３０の左右の後部スライドレール３５（主連結部）と左右の前部スライドレール３７（補助連結部）とが離れた位置に設けられている。このため、大型バッテリパック３０の自重を左右の後部スライドレール３５（主連結部）と左右の前部スライドレール３７（補助連結部）との二ヶ所で効率的に受けられるようになる。
【００２７】
［実施形態２］
以下、図１０〜図１２に基づいて本発明の実施形態２に係るバッテリパックについて説明する。本実施形態に係るバッテリパック６０は、実施形態１に係る大型バッテリパック３０のフック３９（スリット状開口３８）の前側に幅広の門形突起係合部６７を追加したものであり、それ以外の構造については前記大型バッテリパック３０と同様である。このため、実施形態１に係る大型バッテリパック３０と同じ部材については同一番号を付して説明を省略する。
また、前記バッテリパック６０が連結される小型電動工具４０の天板部２１の先端には、バッテリパック６０の門形突起係合部６７にスライド方向から嵌め込まれる突起部４８が形成されている。
このため、図１２に示すように、小型電動工具４０のバッテリ装着部４５における左右の後側角溝部２４ｘをバッテリパック６０の左右の後部スライドレール３５に嵌合させて前後方向に相対スライドさせると、図１１に示すように、連結完了位置で小型電動工具４０の突起部４８がバッテリパック６０の門形突起係合部６７に嵌め込まれるようになる。
これにより、バッテリパック６０は、左右の後部スライドレール３５と門形突起係合部６７とによって自重を受けられるようになる。即ち、左右の前部スライドレール３７の代わりに門形突起係合部６７によって自重を受けることができるようになる。
したがって、前記門形突起係合部が本発明の補助連結部に相当し、小型電動工具４０のバッテリ装着部４５の突起部４８が本発明の補助連結受け部に相当する。
【００２８】
＜変更例＞
ここで、本発明は上記実施形態１，２に限定されるものではなく、本発明の要旨を逸脱しない範囲における変更が可能である。例えば、実施形態１，２では大型電動工具１０と小型電動工具４０について本発明を適用する例を示したが、電動工具以外に、例えば、草刈機や刈り込み機等の電気機器に本発明を適用することも可能である。
また、実施形態２において補助連結部としてバッテリパック６０の門形突起係合部６７を例示したが、門形突起係合部６７の代わりに、例えば、バッテリパック６０の端子を鉤形に形成して小型電動工具４０の天板部２１の一部を掛けるようにすることも可能である。
【符号の説明】
【００２９】
１０・・・・・大型電動工具
２０・・・・・バッテリ装着部
２１・・・・・天板部
２４ｘ・・・・後側角溝部（主連結受け部）
２６ｍ・・・・前側角溝部（補助連結受け部）
３０・・・・・大型バッテリパック
３５・・・・・後部スライドレール（スライドレール）（主連結部）
３７・・・・・前部スライドレール（補助連結部）
４０・・・・・小型電動工具
４５・・・・・バッテリ装着部
４８・・・・・突起部（補助連結受け部）
５０・・・・・小型バッテリパック
６０・・・・・バッテリパック
６７・・・・・門形突起係合部（補助連結部）
【図１】
2013242992.tif 000003
【図２】
2013242992.tif 000004
【図３】
2013242992.tif 000005
【図４】
2013242992.tif 000006
【図５】
2013242992.tif 000007
【図６】
2013242992.tif 000008
【図７】
2013242992.tif 000009
【図８】
2013242992.tif 000010
【図９】
2013242992.tif 000011
【図１０】
2013242992.tif 000012
【図１１】
2013242992.tif 000013
【図１２】
2013242992.tif 000014
【図１３】
2013242992.tif 000015
【図１４】
2013242992.tif 000016